(57)【要約】【課題】組立性の向上を図ることが可能な真空断熱材を備えた断熱パネルを提供する。【解決手段】矩形平板状の真空断熱材２０と、前記真空断熱材２０の芯材２１の外縁に沿って延在する長尺の枠体３０とを備えた断熱パネルであって、前記枠体３０は、二つ折りすることによって前記真空断熱材２０の芯材２１の外縁から延在した状態のヒレ部分２２１を両側から挟持する態様で配設され、かつ、端部に隣接する枠体３０との嵌合部３４ａ，３４ｂを備え、隣接する枠体３０同士を嵌合部３４ａ，３４ｂを介して連結する。【選択図】図６
2019203537.tif 000002
【特許請求の範囲】
【請求項１】
矩形平板状の真空断熱材と、前記真空断熱材の芯材の外縁に沿って延在する長尺の枠体とを備えた断熱パネルにおいて、前記枠体は、前記真空断熱材の芯材の外縁から延在した状態のヒレ部分を両側から挟持する態様で配設され、かつ、端部に隣接する枠体との嵌合部を備えてなることを特徴とする断熱パネル。
【請求項２】
請求項１に記載の断熱パネルにおいて、枠体は基材の表裏面に外被材が積層されたウレタンボードからなり、ウレタンボードは外被材の一方を残して基材を長手方向に２分割し、かつ、残した外被材を中心に２分割した基材を対峙させる態様で折り曲げて真空断熱材のそれぞれの辺から延在した状態のヒレ部分を両側から挟持するとともに端部に設けた嵌合部を隣接する枠体を構成するウレタンボードの端部の嵌合部に結合してなることを特徴とすることを特徴とする断熱パネル。
【請求項３】
請求項１に記載の断熱パネルにおいて、枠体の嵌合部は楔形の凸部若しくは凹部からなり、隣接する枠体の連結部はそれぞれ一方が凸部または凹部の場合、他方が凹部または凸部であることを特徴とすることを特徴とする断熱パネル。
【発明の詳細な説明】
【技術分野】
【０００１】
この発明は、自動販売機等の断熱パネルに関するものである。
【背景技術】
【０００２】
缶入り飲料，ペットボトル入り飲料などの商品を販売する自動販売機は断熱筐体としてなる本体キャビネットの商品収納庫内に前記商品をコールド，ホット，常温状態に区分して保存し、外扉のディスプレイ室内に複数の商品見本を左右に並べて展示し、前記商品見本に対応して設けられた商品選択ボタンの操作に基いて選択された商品を販売するように構成されている。前記商品収納庫内は、商品をコールド，ホット，常温状態に区分して保存するために断熱仕切板により左右方向に複数の商品収納室に区画されている。前記断熱仕切板として平板状の真空断熱材（ＶＩＰ：Vacuum  Insulation  Panel）を備えた断熱パネルが採用されている。前記真空断熱材は、芯材を外被材で被覆したうえでその内部を減圧することにより形成されるもので、外縁部に外被材のみで構成されるヒレ部分を有しており、このような真空断熱材を断熱パネルとして用いる場合にはヒレ部分を芯材側に折り曲げるようにしているが、四隅には二重の折り重ねが生じ、その複数の折り曲げによる引張応力によってピンホールが発生するおそれがある。このようなピンホールが発生するとガスの侵入を許容することになり、断熱性能の低下を惹起してしまう。
【０００３】
そこで、真空断熱材のヒレ部分を芯材側に折り重ねることなく、ヒレ部分を延在させた状態で収納する枠体を設けることによって、ピンホールの発生を抑制して断熱性能の低下を防止することができる断熱パネルが提案されている（例えば、特許文献１）。
【先行技術文献】
【特許文献】
【０００４】
【特許文献１】特許第５７６０３４１号公報
【発明の概要】
【発明が解決しようとする課題】
【０００５】
前記特許文献１に開示された発明によれば、真空断熱材の芯材の４辺の縁に沿って配置される枠体を、真空断熱材の芯材の縁部を両側から挟み付ける態様に形成するとともに延在したヒレ部分を収納する溝を設け、ヒレ部分を延在させた状態で収納することにより、従来のようにフィルムのヒレ部分を二重に折り曲げることによる引張応力が生ずることがなく、ピンホールの発生を抑制して断熱性能の低下を防止できる点で優れている。
【０００６】
ところが、特許文献１に開示された発明においては、真空断熱材の４辺の縁に沿って配置される枠体は接着剤により真空断熱材に接着するように構成されている。このように、接着剤で枠体を真空断熱材に接着する際、隣接する枠体相互間の位置ずれを防止しつつ、全体として矩形枠状のフレームとして組み立てねばならないので、作業性が悪いという課題を有する。また、枠体を接着剤により接着剤により真空断熱材に接着するように構成されているので断熱パネルの分解が困難であって、リサイクル、真空断熱材のリユースに不適応であるという課題を有する。
【０００７】
本発明は上記の点に鑑みなされたものであり、その目的は前記課題を解決し、組立性の向上を図ることが可能な真空断熱材を備えた断熱パネルを提供することにある。
【課題を解決するための手段】
【０００８】
上記目的を達成するために請求項１に係る発明は、矩形平板状の真空断熱材と、前記真空断熱材の芯材の外縁に沿って延在する長尺の枠体とを備えた断熱パネルにおいて、前記枠体は、前記真空断熱材の芯材の外縁から延在した状態のヒレ部分を両側から挟持する態様で配設され、かつ、端部に隣接する枠体との嵌合部を備えてなることを特徴とする。
【０００９】
また、請求項２に係る発明は、請求項１に記載の断熱パネルにおいて、枠体は基材の表裏面に外被材が積層されたウレタンボードからなり、ウレタンボードは外被材の一方を残して基材を長手方向に２分割し、残した外被材を中心にかつ、２分割した基材を対峙させる態様で折り曲げて真空断熱材のそれぞれの辺から延在した状態のヒレ部分を両側から挟持するとともに端部に設けた嵌合部を隣接する枠体を構成するウレタンボードの端部の嵌合部に結合してなることを特徴とする。
【００１０】
また、請求項３に係る発明は、請求項１に記載の断熱パネルにおいて、枠体の嵌合部は楔形の凸部若しくは凹部からなり、隣接する枠体の連結部はそれぞれ一方が凸部または凹部の場合、他方が凹部または凸部であることを特徴とする。
【発明の効果】
【００１１】
本発明の請求項１に係る断熱パネルによれば、矩形平板状の真空断熱材と、前記真空断熱材の芯材の外縁に沿って延在する長尺の枠体とを備えた断熱パネルにおいて、前記枠体は、前記真空断熱材の芯材の外縁から延在した状態のヒレ部分を両側から挟持する態様で配設され、かつ、端部に隣接する枠体との嵌合部を備えてなることにより、真空断熱材の芯材から延在した状態のヒレ部分を両側から挟持する枠体同士はそれぞれの嵌合部を介して結合すれば隣接する枠体相互間の位置ずれのない、全体として額縁状のフレームとして形成されるので、断熱パネルの組立が容易であり、その組立性を向上させることができる。また、従来のように枠体の組立に接着材を使用することがないので、断熱パネルの分解が容易であり、リサイクル、リユースに適応するものであるという利点を有する。
【００１２】
また、本発明の請求項２に係る断熱パネルによれば、請求項１に記載の断熱パネルにおいて、基材の表裏面に外被材が積層されたウレタンボードからなり、ウレタンボードは外被材の一方を残して基材を長手方向に２分割し、かつ、残した外被材を中心に２分割した基材を対峙させる態様で折り曲げて真空断熱材のそれぞれの辺から延在した状態のヒレ部分を両側から挟持するとともに端部に設けた嵌合部を隣接する枠体を構成するウレタンボードの端部の嵌合部に結合してなることにより、接着剤等を用いることなく枠体同士を接合することが可能となる。
【００１３】
また、本発明の請求項３に係る断熱パネルによれば、請求項１に記載の断熱パネルにおいて、枠体の嵌合部は楔形の凸部若しくは凹部からなり、隣接する枠体の連結部はそれぞれ一方が凸部または凹部の場合他方が凹部または凸部であることにより、枠体同士の接合が強固であるうえに分解も容易に行うことができるという利点を有する。
【図面の簡単な説明】
【００１４】
【図１】本発明の実施の形態に係る断熱パネルが適用された自動販売機の正面図である。
【図２】図１の自動販売機の外扉および内扉を開放した状態を示す斜視図である。
【図３】図１の断熱仕切板を示す斜視図である。
【図４】図３の断熱仕切板の分解斜視図である。
【図５】枠体を構成する前枠を示し、（ａ）は展開状態の前枠を示す斜視図、（ｂ）は屈曲途中の前枠を示す斜視図、（ｃ）は（ｂ）の工程を経て１８０°屈曲（二つ折り）させた前枠の断面図である。
【図６】下準備状態の枠体（前枠，上枠，後枠および下枠）を額縁状に組んだ平面図である。
【図７】枠体と真空断熱材との組立工程であり、（ａ）は枠体に真空断熱材を投入する状態の斜視図、（ｂ）は枠体により真空断熱材の芯材の外縁から延在した状態のヒレ部分を両側から挟持した状態を示す断面図である。
【図８】断熱パネルを示し、（ａ）は断熱パネルの斜視図、（ｂ）は（ａ）のＡ部の拡大図である。
【図９】ガスケットを示し、（ａ）はガスケットの斜視図、（ｂ）はガスケットの平面図である。
【発明を実施するための形態】
【００１５】
以下、本発明の実施の形態の自動販売機を添付図面に基づいて詳細に説明する。
【００１６】
図１および図２に示すように本発明に係る断熱パネルが適用された自動販売機は、前面が開口した断熱筐体として構成された本体キャビネット１と、本体キャビネット１の前面に開閉可能に支持された片開き式の外扉２と、外扉２と本体キャビネット１の前面との間に配設された内扉３とを備えている。断熱筐体として構成された本体キャビネット１の庫内が商品収納庫をなし、本体キャビネット１の下部が機械室１７として構成されている。商品収納庫内は断熱仕切板１１により左右方向に複数の商品収納室１２，１３，１４に区画されている。前記各商品収納室１２，１３，１４には、この例ではサーペンタイン方式と呼ばれる蛇行した商品収納通路を有する商品収納ラック１５がそれぞれ収設されている。商品収納ラック１５の下部には前下がりの姿勢に傾斜して配された商品搬出シュータ１６が配設され、商品搬出シュータ１６の背後の空間に商品収納ラック１５に収納した商品を冷却若しくは加熱してコールド若しくはホット状態に保存する冷却／加熱ユニットが配設されている。冷却／加熱ユニットは蒸発器，ヒータ，庫内ファン等を有している。
【００１７】
前記外扉２の前面の上部域は商品見本２１を展示する透明板２２で覆われたディスプレイ室２３として形成され、前記透明板２２の前面には商品選択ボタンユニット２４が設けられ、商品選択ボタンユニット２４には展示された商品見本２１に対応して設けられた商品選択ボタン２４ａを有している。また、外扉２の前面には硬貨投入口２５、紙幣挿入口２６、返却レバー２７、硬貨返却口２８、商品取出口２ａなどの商品の販売に必要なもの、外扉２を閉止状態にロックするハンドルロック２９などが設けられている。
【００１８】
前記内扉３は、上部側内扉３ａと搬出扉３ｃが設けられた下部側内扉３ｂに分割されている。上部側内扉３ａは幅方向一端側（正面視左端側）がヒンジ機構（不図示）を介して開閉自在に外扉２の背面に配設されて外扉２の開閉に応じて商品収納庫の前面を閉塞・開放する一方、下部側内扉３ｂは幅方向一端側（正面視左端側）がヒンジ機構（不図示）を介して本体キャビネット１に開閉自在に配設されている。下部側内扉３ｂの他端側（正面視右端側）には商品収納庫の前面を閉塞する態様で下部側内扉３ｂを本体キャビネット１の内壁側に設けたロック板ＬＰに係止するロックレバーＬＢが設けられている。ロックレバーＬＢとロック板ＬＰとが商品収納庫の前面を閉塞する態様で下部側内扉３ｂを本体キャビネット１に係止するロック装置を構成している。また、下部側内扉３ｂには各商品収納室１２，１３，１４の商品収納ラック１５から払い出された商品を送出するシュート１６と対峙する位置に搬出扉３ｃを有する商品搬出口が設けられている。上部側内扉３ａと下部側内扉３ｂとの商品収納庫の前面に当接する箇所には不図示のガスケットが配設されている。また、上部側内扉３ａは、発泡ウレタンなどの断熱材ボードで構成される矩形の断熱扉本体３５と、断熱扉本体３５の周囲四辺の縁部に固着された金属製の外枠３６とを備えて構成され、下部側内扉３ｂは、背面が開放した薄い箱形の金属性保護板３７の背後に発泡ウレタンなどの断熱材ボードで構成される断熱扉本体３５を貼着した構成になる。
【００１９】
機械室１７には圧縮機，凝縮器，キャピラリーチューブ，庫外ファン等が配設され、前記凝縮器がキャピラリーチューブを介して前記冷却／加熱ユニットの蒸発器と冷媒配管を通じて接続されて冷凍サイクルを形成している。
【００２０】
かかる自動販売機は、商品収納ラック１５に収納された商品を冷却する場合、圧縮機を運転することにより圧縮された冷媒が凝縮器で凝縮され、その後にキャピラリーチューブで断熱膨張されて冷却／加熱ユニットの蒸発器に供給される。冷媒が蒸発器を通過する際に、当該蒸発器が配設された商品収納室（例えば、商品収納室１２）の内部空気との間で熱交換が行われて内部空気を冷却する。冷却された内部空気は庫内ファンにより商品収納室１２の内部を移動し、これにより当該商品収納室１２の商品収納ラック１５に収納された商品は所望の温度（例えば５℃）に冷却されることになる。 
【００２１】
前記商品収納ラック１５に収納された商品を加熱する場合には前記冷却／加熱ユニットのヒータに通電する。前記ヒータにより加熱された空気は、庫内ファンの駆動により商品収納室（例えば、商品収納室１３）の内部を移動し、これにより該商品収納室１３の商品収納ラック１５に収納された商品は所望の温度（例えば５５℃）に加熱されることになる。
【００２２】
図３は、前記商品収納庫内を左右方向に複数の商品収納室１２，１３，１４に区画する断熱仕切板１１を示す斜視図、図４は図３の断熱仕切板１１の分解斜視図である。これらの図に示すように断熱仕切板１１は、平板状の真空断熱材２０の周縁に枠体３０が配設されてなる断熱パネル４０、この断熱パネル４０の前縁に装着されたガスケット５０、クッション材６０、前記断熱パネル４０の側面に貼着された保護カバー７０および真空断熱材２０を保護する保護シート８０（図４参照）からなる。 
【００２３】
断熱パネル４０を構成する真空断熱材２０は、図４に示すように、例えばガラス繊維等の熱伝導率が低い材料からなる芯材２１を外被材、例えばポリアミド等のフィルム２２にて被覆したうえで脱気密封した略矩形で平板状に形成されている。この真空断熱材２０は、周知のとおり、製造工程の特性上から芯材２１の周辺に沿って外側に延在するフィルム２２のヒレ部分２２１が形成されている。
【００２４】
枠体３０は、ウレタンフォームからなり、真空断熱材２０のヒレ部分２２１を挟持するように構成されたものである。この枠体３０は、前枠３０Ａ、後枠３０Ｂ、上枠３０Ｃおよび下枠３０Ｄからなる。前記前枠３０Ａと後枠３０Ｂとは同一部材を上下反転させたものであり、また、上枠３０Ｃと下枠３０Ｄとは同一部材を前後反転させたものであり、かつ、前枠３０Ａ，後枠３０Ｂと上枠３０Ｃ，下枠３０Ｄとは長さが異なる以外は同一の構成であるので、以下では前枠３０Ａを中心に説明する。
【００２５】
図５は、枠体３０を構成する前枠３０Ａを示し、（ａ）は展開状態の前枠３０Ａを示す斜視図、（ｂ）は屈曲途中の前枠３０Ａを示す斜視図、（ｃ）は（ｂ）の工程を経て１８０°屈曲させた前枠３０Ａの断面図である。
【００２６】
前記前枠３０Ａは、図５の（ａ）に示すように、上下方向に延在する長尺状部材として形成されたウレタンフォーム製になる。ウレタンフォームは、図５の（ｃ）を参照すると理解できるように、基材３１の表裏面に外被材、例えばクラフト紙３２が積層された周知のものである。なお、表裏面のクラフト紙３２について、以下では表面側のクラフト紙を参照符号「３２ａ」、裏面側のクラフト紙を参照符号「３２ｂ」とする。前枠３０Ｆには、長辺方向に沿って左右に二等分して左前枠３０Ｌ，右前枠３０Ｒを形成する態様で切り目ＣＴが形成される。この場合、基材３１の表裏面に積層されたクラフト紙３２の一方、例えば、裏面側のクラフト紙３２ｂを残し、表面側のクラフト紙３２ａおよび基材３１を切断する態様で切り目ＣＴが形成される。したがって、左右に二等分された左前枠３０Ｌ，右前枠３０Ｒが裏面側のクラフト紙３２ｂを介して連結される。そして、左右に二等分された左前枠３０Ｌ，右前枠３０Ｒの切り目ＣＴに沿う裏面側のクラフト紙３２ｂの部位が折り目３３となり、この折り目３３は二等分線に一致している。
【００２７】
前記折り目３３に沿って二等分された左側面枠部３０Ｌ，右側面枠部３０Ｒの上下端にはそれぞれ一対の嵌合凸部３４ａ，３４ａ、嵌合凹部３４ｂ，３４ｂが設けられている。前記一対の嵌合凸部３４ａ，３４ａおよび嵌合凹部３４ｂ，３４ｂはそれぞれ楔状の形態をなし、請求項１の嵌合部を構成する。対となる嵌合凸部３４ａ，３４ａ同士および嵌合凹部３４ｂ，３４ｂ同士は、折り目３３を中心に左右対称に形成されている。したがって、左前枠３０Ｌ，右前枠３０Ｒを、折り目３３を中心に谷折り（図５の（ｃ））することにより対となる嵌合凸部３４ａ，３４ａ同士および嵌合凹部３４ｂ，３４ｂ同士がそれぞれ左右に重なり合うものである。前記嵌合凸部３４ａ，３４ａおよび嵌合凹部３４ｂ，３４ｂは、木造建築等の木材同士を接合する際の「ほぞ」および「ほぞ穴」の関係を有している。
【００２８】
前記前枠３０Ａ，後枠３０Ｂ，上枠３０Ｃおよび下枠３０Ｄは、図６に示すように、下準備としてそれぞれ展開した状態で隣接する前枠３０Ａ，上枠３０Ｃ，後枠３０Ｂおよび下枠３０Ｄの嵌合凸部３４ａを嵌合凹部３４ｂに嵌合させて連結する。ここで、後枠３０Ｂは前枠３０Ａを上下反転させたものに相当し、上枠３０Ｃは、前枠３０Ａをショートサイズの長さとしたものであって、前枠３０Ａの下端および上端が前端および後端となる態様で配置し、下枠３０Ｄは上枠３０Ｃを前後反転させたものに相当し、前枠３０Ａ，後枠３０Ｂ，上枠３０Ｃおよび下枠３０Ｄは切り目ＣＴが裏面に位置し、折り目３３が表面側に位置する態様で配置される。前記隣接する前枠３０Ａ，後枠３０Ｂ，上枠３０Ｃおよび下枠３０Ｄの連結は、前枠３０Ａ，上枠３０Ｃ，後枠３０Ｂ，下枠３０Ｄのそれぞれの嵌合凸部３４ａを隣接する上枠３０Ｃ，後枠３０Ｂ，下枠３０Ｄ，前枠３０Ａの嵌合凹部３４ｂに嵌め込むことにより行われる。この場合、前枠３０Ａ，後枠３０Ｂ，上枠３０Ｃおよび下枠３０Ｄの内周側に左側面枠部３０Ｌが位置し、外周側に右側面枠部３０Ｒが位置しており、前記内周側の左側面枠部３０Ｌが、前記真空断熱材２０の周辺から延在した状態のヒレ部分２２１に対応するように構成されている。
【００２９】
斯様な構成により額縁状に組まれた枠体３０は、次のようにして真空断熱材２０の周辺から延在した状態のヒレ部分２２１を両側から挟持する。すなわち、図７に示すように、展開状態で額縁状に形成された枠体３０の上方から真空断熱材２０を投入し、真空断熱材２０の周辺から延在した状態のヒレ部分２２１を前枠３０Ａ，後枠３０Ｂ，上枠３０Ｃおよび下枠３０Ｄの内周側の左側面枠部３０Ｌに載置させる。この状態で上枠３０Ｃおよび下枠３０Ｄの右側面枠部３０Ｒ，３０Ｒを折り目３３に沿って谷折りする。次いで前枠３０Ａおよび後枠３０Ｂの右側面枠部３０Ｒ，３０Ｒを折り目３３に沿って谷折りしつつ、前枠３０Ａ，後枠３０Ｂのそれぞれの嵌合凸部３４ａを上枠３０Ｃの嵌合凹部３４ｂ，下枠３０Ｄの嵌合凹部３４ｂに嵌め込み、前枠３０Ａ，後枠３０Ｂのそれぞれの嵌合凹部３４ｂを上枠３０Ｃの嵌合凹部３４ｂ，下枠３０Ｄの嵌合凸部３４ａに嵌め込む。これにより、図７の（ｂ）に示すように、前枠３０Ａ，後枠３０Ｂ，上枠３０Ｃおよび下枠３０Ｄの左側面枠部３０Ｌと右側面枠部３０Ｒが真空断熱材２０の周辺から延在した状態のヒレ部分２２１を両側から挟持し、枠体３０と真空断熱材２０が一体化される。
【００３０】
このように、枠体３０と真空断熱材２０とを一体化したうえで真空断熱材２０を保護する保護シート８０，８０（図４参照）を取付けて形成された断熱パネル４０を図８に示している。前記保護シート８０，８０は、例えば透明なポリエステルシートからなり、両面テープにより枠体３０に貼着される。
【００３１】
ここで、前枠３０Ａ，後枠３０Ｂ，上枠３０Ｃおよび下枠３０Ｄの連結する嵌合凸部３４ａ、嵌合凹部３４ｂが楔状の形態をなしていることにより、例えば、前枠３０Ａと上枠３０Ｃの連結箇所である図８の（ａ）のＡ部を拡大して示す図８の（ｂ）に例示するように、両者が強固に接合されるので、頑強な枠体３０を形成することができる。これにより真空断熱材２０の周辺から延在した状態のヒレ部分２２１を両側から挟持した状態の前枠３０Ａ，後枠３０Ｂ，上枠３０Ｃおよび下枠３０Ｄの左側面枠部３０Ｌと右側面枠部３０Ｒが離隔することを規制する規制部材等を必要とすることなく、真空断熱材２０の周辺から延在した状態のヒレ部分２２１を両側から挟持した状態を維持することができる。
【００３２】
前記断熱パネル４０の前縁に装着されたガスケット５０を図９に示す。図９の（ａ）はガスケット５０の斜視図、図９の（ｂ）はガスケット５０の平面図である。ガスケット５０は、図に示すように、断熱パネル４０の前枠３０Ａに沿う態様の上下方向に延在する長尺状部材として形成されている。ガスケット５０は、合成樹脂製により形成され、前枠３０Ａを挟む態様の硬質の樹脂材からなる取付部５１，５１と、閉じた状態の内扉３の内壁に当接して弾性変形することにより内扉３に密着する軟質の樹脂材からなるパッキング５２との一体成型品になる。このガスケット５０は、取付部５１，５１を弾性変形させて前枠３０Ａを挟む態様で取り付けることにより断熱パネル４０に一体化される。 
【００３３】
クッション材６０（図３、図４参照）は、断熱パネル４０の上端部及び後端部に両面テープにより貼着されてある。このクッション材６０は、例えば発泡ポリエチレン等の樹脂材から構成され、本体キャビネット１の天部及び背部に敷設されたパネル状の断熱部材に当接して弾性変形することにより前記断熱部材に密着するものである。
【００３４】
保護カバー７０（図３、図４参照）は、前記断熱パネル４０の下部領域を覆う板金製になり、両面テープにより枠体３０に貼着される。この保護カバー７０は商品搬出シュータ１６，冷却／加熱ユニットの取付け時、若しくは保守点検の際の商品搬出シュータ１６，冷却／加熱ユニットの着脱時に商品搬出シュータ１６，冷却／加熱ユニットが断熱パネル４０に衝突して破損するのを防止するものである。この保護部材７０には複数の配線カバー７１（図示例では前後方向に３個）が切り起こしにより形成されている。配線カバー７１は商品収納ラック１５に搭載された商品搬出装置の電装品（ソレノイド、モータ、売切れスイッチなど）の配線を挟持（保持）して断熱仕切板１１の板面に沿うようにガイドする周知のものである。
【００３５】
なお、本実施の形態においては、保護シート８０，８０について両面テープにより枠体３０に貼着することについて説明したが、保護シート８０，８０を真空断熱材２０のヒレ部分２２１と同様に枠体３０により挟持することもできるものである。また、断熱パネル４０の適用例として断熱仕切板１１について説明したが、本発明においては、断熱仕切板１１に限られず、本体キャビネット１の商品収納庫を画成するパネル状の断熱部材や内扉３の断熱部材についても断熱パネル４０の如く構成されていてもよい。この場合、断熱仕切板４とは長さ寸法や幅寸法等が異なるだけであり、基本的な構成は同じである。
【００３６】
前述したように、この実施の形態の断熱パネル４０によれば、矩形平板状の真空断熱材２０と、前記真空断熱材２０の芯材２１の外縁に沿って延在する長尺の枠体３０とを備えた断熱パネル４０において、前記枠体３０は、前記真空断熱材２０の芯材２１の外縁から延在した状態のヒレ部分２２１を両側から挟持する態様で配設され、かつ、端部に隣接する枠体３０との嵌合部３４ａ，３４ｂを備えてなることにより、真空断熱材２０の芯材２１から延在した状態のヒレ部分２２１を両側から挟持する枠体３０同士をそれぞれの嵌合部３４ａ，３４ｂを介して結合すれば隣接する枠体３０相互間で位置ずれのない、全体として額縁状のフレームとして形成されるので、断熱パネル４０の組立が容易であり、その組立性を向上させることができる。また、従来のように枠体の組立に接着材を使用することがないので、断熱パネル４０の分解が容易であり、リサイクル、リユースに適応するものであるという利点を有する。
【００３７】
なお、上述した実施の形態では断熱仕切板１１の４辺の全てを、真空断熱材２０の芯材２１の外縁から延在した状態のヒレ部分２２１を両側から挟持する枠体３０により形成したものについて説明したが、４辺の全てを、真空断熱材２０の芯材２１の外縁から延在した状態のヒレ部分２２１を両側から挟持する枠体３０により形成したものに限定されるものはない。例えば、機械室１７に配設した凝縮器と商品収納室に配設した冷却／加熱ユニットの蒸発器とを接続する冷媒配管を通すために断熱仕切板１１の前方下端の隅部を切り欠くものにあっては、真空断熱材２０の芯材２１の下縁のヒレ部分２２１を芯材２１側に折り曲げるか、若しくはあらかじめ逃がし用の切欠を設ける必要があるが、ヒレ部分２２１の折り曲げは単一であるので、二重に折り重ねる場合のような引張応力によるピンホールの発生は抑制される。また、この場合、前枠３０Ａの下端の嵌合部３４ｂと下枠３０Ｄの前端の嵌合部３４ａの部位が前記切り欠きに対峙することから切除され、前枠３０Ａの下端と下枠３０Ｄの前端とを嵌合部３４ａ，３４ｂで接合することができないが、下枠３０Ｄの後端が後枠３０Ｂの下端と嵌合部３４a、３４ｂで接合されるとともに保護カバー７０の下端と下枠３０Ｄとを両面テープにより貼着することにより下枠３０Ｄの脱落を防止することが可能である。したがって、本発明は、断熱仕切板１１の４辺の全てを、真空断熱材２０の芯材２１の外縁から延在した状態のヒレ部分２２１を両側から挟持する枠体３０により形成した実施の形態に限定されるものではない。
【符号の説明】
【００３８】
１…本体キャビネット、２…外扉、３…内扉、２０…真空断熱材、２１…芯材、３０…枠体、３０Ａ…前枠（枠体）、３０Ｂ…後枠（枠体）、３０Ｃ…上枠（枠体）、３０Ｄ…下枠（枠体）、３１…基材、３２…外被材（クラフト紙）、３３…折り目、３４ａ…嵌合凸部（嵌合部）、３４ｂ…嵌合凹部（嵌合部）、４０…断熱パネル、２２１…ヒレ部分。
【図１】
2019203537.tif 000003
【図２】
2019203537.tif 000004
【図３】
2019203537.tif 000005
【図４】
2019203537.tif 000006
【図５】
2019203537.tif 000007
【図６】
2019203537.tif 000008
【図７】
2019203537.tif 000009
【図８】
2019203537.tif 000010
【図９】
2019203537.tif 000011